(57)【特許請求の範囲】
【請求項１】
浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報の表示を行なえるようにしたものであって、
前記リモコンは、前記給湯温度情報及び前記心電情報を同時に表示することができるようになっており、
前記リモコンは、入浴者の心電情報の表示を心電信号に依拠させて自動的に開始あるいは停止させる自動表示モード及び入浴者の操作によって入浴者の心電情報の表示を開始あるいは停止させる手動表示モードのいずれか一方を選択させる表示モード選択手段を有しており、
前記心電情報を表示する場合は、前記心電情報の表示面積を前記給湯温度情報の表示面積よりも大きくしたことを特徴とする心電情報報知システム。
【請求項２】
浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報及び浴槽湯温情報の表示を行なえるようにしたものであって、
前記リモコンは、前記給湯温度情報及び前記心電情報を同時に表示することができるようになっており、
前記リモコンは、入浴者の心電情報の表示を心電信号に依拠させて自動的に開始あるいは停止させる自動表示モード及び入浴者の操作によって入浴者の心電情報の表示を開始あるいは停止させる手動表示モードのいずれか一方を選択させる表示モード選択手段を有しており、
前記心電情報の表示を行う場合には前記浴槽湯温情報の表示を一旦非表示とし、前記心電情報の表示面積を前記給湯温度情報の表示面積よりも大きくしたことを特徴とする心電情報報知システム。
【請求項３】
浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報の表示を行なえるようにしたものであって、
前記リモコンに表示する心電情報の表示面積をその給湯温度情報の表示面積よりも大きくすると共に、前記心電情報として、入浴者の心拍数の変動傾向を矢印の向きまたは文字によって前記リモコンに表示するようにしたことを特徴とする心電情報報知システム。
【請求項４】
浴槽に設置された電極によって検出された、浴槽に浸かっている入浴者の心電信号に基づいて、入浴者の心電情報を表示部に表示するようにした心電情報報知システムにおいて、熱源機を浴室から遠隔操作しうる風呂リモコン及び台所等から遠隔操作しうるメインリモコンにより前記表示部を構成し、該両表示部には数字等からなる心電情報の表示を行なうと共に心電情報以外の給湯温度情報の表示を行なうようにしたものであって、前記風呂リモコンに表示する心電情報の表示面積をその給湯温度情報の表示面積よりも大きくし、かつ、前記メインリモコンに表示する心電情報の表示面積をその給湯温度情報の表示面積よりも小さくしたことを特徴とする心電情報報知システム。
【請求項５】
浴槽に設置された電極によって検出された、浴槽に浸かっている入浴者の心電信号に基づいて、入浴者の心電情報を表示部に表示するようにした心電情報報知システムにおいて、熱源機を浴室から遠隔操作しうる風呂リモコン及び台所等から遠隔操作しうるメインリモコンにより前記表示部を構成し、しかも風呂リモコン及びメインリモコンの双方で給湯温度の設定が行なえるようにし、前記両表示部には数字等からなる心電情報の表示を行なうと共に前記給湯温度の表示を行なうようにしたものであって、前記風呂リモコンに表示する心電情報の表示面積をその給湯温度情報の表示面積よりも大きくし、かつ、前記メインリモコンに表示する心電情報の表示面積をその給湯温度情報の表示面積よりも小さくしたことを特徴とする心電情報報知システム。
【発明の詳細な説明】
【０００１】
【発明の属する技術分野】
本発明は、浴槽に浸かっている入浴者の心電情報を入浴者、入浴者以外の第三者に報知するための心電情報報知システムに関するものである。
【０００２】
【従来の技術】
従来、例えば特開平５―９５９２１号公報に開示されているように、浴槽に浸かっている入浴者の心拍数等の心電情報を入浴者等に報知する心電情報報知システムは従来から知られている。この心電情報報知システムは、浴槽に浸かっている入浴者の心拍数等の心電信号を検知するために浴槽内に設置される電極と、この電極によって検出された入浴者の心電信号に基づいて心拍数等の心電情報を演算するＣＰＵ等からなる心電情報作成部と、心電情報を表示する表示部等とから構成され、浴槽に浸かった入浴者は連続的に表示される心電情報に基づいて、自己の心臓の状態変化を把握することができる。
【０００３】
【発明が解決しようとする課題】
しかしながら、上記のような心電情報報知システムにおいては、心拍数や心拍波形が単に表示されるようになっているだけであり、表示部が大型化する難点を有していた。また、浴室には給湯器、風呂給湯器、給湯暖房機等の熱源機を遠隔操作するためのリモコンが設置されており、心電情報報知システムの表示部以外に熱源機のリモコンを浴室の壁面に設置取り付けすることは、操作が煩雑となるのみならず見た目も悪く、操作上あるいは美観上の観点からも好ましくはない。これを解決するには、それぞれの表示部を共用すれば解決できるが、多くの数値情報を画面表示する結果を招き、逆に表示が見にくくなって実使用上も不便となる問題を有していた。
【０００４】
そこで、本発明は上記問題点に鑑み、心電情報の報知を見やすくして入浴者の利便性を向上させた心電情報報知システムを提供することを課題とする。
【０００５】
【課題を解決するための手段】
上記課題を解決するために、本発明は、浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報の表示を行なえるようにしたものであって、前記リモコンは、前記給湯温度情報及び前記心電情報を同時に表示することができるようになっており、前記リモコンは、入浴者の心電情報の表示を心電信号に依拠させて自動的に開始あるいは停止させる自動表示モード及び入浴者の操作によって入浴者の心電情報の表示を開始あるいは停止させる手動表示モードのいずれか一方を選択させる表示モード選択手段を有しており、前記心電情報を表示する場合は、前記心電情報の表示面積を前記給湯温度情報の表示面積よりも大きくしたことを第１の特徴としている。
この第１の特徴によれば、心電情報報知システムの心電情報の表示部を風呂給湯器等のリモコンの設定給湯温度情報の表示部と兼用することができ、表示部を単一個で納めることができ、操作も行ないやすくなり、しかも美観上も優美となる。また、心電情報を表示する場合は、心電情報の表示面積を給湯温度情報の表示面積よりも大きくすることで、入浴者は自身の心拍数を一目瞭然に瞬時に把握することができ、給湯温度情報との誤認を生じさせることが少なくなる利点を有するものである。特に、心拍数と給湯温度とは同じような数値を用いて表示されるものであるため、一方の拡大表示は入浴者にとって頗る目視確認性の良いものである。また、心電情報の表示は数字に限られず、グラフや絵柄により表示するようにしてもよく、さらには絵柄と数字の組み合わせで表示しても差し支えのないものである。
また、本発明は、浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報及び浴槽湯温情報の表示を行なえるようにしたものであって、前記リモコンは、前記給湯温度情報及び前記心電情報を同時に表示することができるようになっており、前記リモコンは、入浴者の心電情報の表示を心電信号に依拠させて自動的に開始あるいは停止させる自動表示モード及び入浴者の操作によって入浴者の心電情報の表示を開始あるいは停止させる手動表示モードのいずれか一方を選択させる表示モード選択手段を有しており、前記心電情報の表示を行う場合には前記浴槽湯温情報の表示を一旦非表示とし、前記心電情報の表示面積を前記給湯温度情報の表示面積よりも大きくしたことを第２の特徴としている。
この第２の特徴によれば、上記の特徴に加え、心電情報の表示を行なう場合には浴槽湯温情報の表示を一旦非表示とすることで、心電情報の表示の際には浴槽湯温情報の表示が消滅し、代わって心電情報の表示が行なわれる。心電情報の表示を終えると再び浴槽湯温情報の表示を表示画面に表示する。これにより、表示部の画面が小さくとも効率的に心電情報の表示を行うことができ、心電情報の画面の表示を見やすくすることができ、かつ、浴槽に浸かる前には入浴者は浴槽湯の設定温度を知ることができる。
【０００６】
また、本発明は、浴槽に設置された電極によって検出された、浴槽に浸かっている入浴者の心電信号に基づいて、入浴者の心電情報を表示部に表示するようにした心電情報報知システムにおいて、熱源機を遠隔位置から遠隔操作しうるリモコンにより前記表示部を構成し、前記表示部には数字等からなる心電情報の表示を行なうと共に心電情報以外の給湯温度情報の表示を行なえるようにしたものであって、前記リモコンに表示する心電情報の表示面積をその給湯温度情報の表示面積よりも大きくすると共に、前記心電情報として、入浴者の心拍数の変動傾向を矢印の向きまたは文字によって前記リモコンに表示するようにしたことを第３の特徴としている。
【０００７】
また、本発明は、浴槽に設置された電極によって検出された、浴槽に浸かっている入浴者の心電信号に基づいて、入浴者の心電情報を表示部に表示するようにした心電情報報知システムにおいて、熱源機を浴室から遠隔操作しうる風呂リモコン及び台所等から遠隔操作しうるメインリモコンにより前記表示部を構成し、該両表示部には数字等からなる心電情報の表示を行なうと共に心電情報以外の給湯温度情報の表示を行なうようにしたものであって、前記風呂リモコンに表示する心電情報の表示面積をその給湯温度情報の表示面積よりも大きくし、かつ、前記メインリモコンに表示する心電情報の表示面積をその給湯温度情報の表示面積よりも小さくしたことを第４の特徴としている。
この第４の特徴によれば、上記の特徴に加え、風呂リモコンに表示する心電情報の表示面積を風呂リモコンの給湯温度情報の表示面積よりも大きくし、かつ、メインリモコンに表示する心電情報の表示面積をメインリモコンの給湯温度情報の表示面積よりも小さくしたことにより、浴槽に入浴中の入浴者には心電情報を一目瞭然に表示することができ、また、台所等に居る給湯使用者には使用頻度の高い給湯温度情報を心電情報に優先して明確に表示することができ、給湯設定温度の変更の際にも迅速に対処することができる。
【０００８】
また、本発明は、浴槽に設置された電極によって検出された、浴槽に浸かっている入浴者の心電信号に基づいて、入浴者の心電情報を表示部に表示するようにした心電情報報知システムにおいて、熱源機を浴室から遠隔操作しうる風呂リモコン及び台所等から遠隔操作しうるメインリモコンにより前記表示部を構成し、しかも風呂リモコン及びメインリモコンの双方で給湯温度の設定が行なえるようにし、前記両表示部には数字等からなる心電情報の表示を行なうと共に前記給湯温度の表示を行なうようにしたものであって、前記風呂リモコンに表示する心電情報の表示面積をその給湯温度情報の表示面積よりも大きくし、かつ、前記メインリモコンに表示する心電情報の表示面積をその給湯温度情報の表示面積よりも小さくしたことを第５の特徴としている。
この第５の特徴によれば、上記の特徴に加え、風呂リモコン及びメインリモコンの双方で給湯温度の設定が行なえるようにしたものにおいて、例えば台所で高温の給湯温度を設定した場合には、風呂側でその高温に設定していることを表示しなければ、いきなり高温のシャワーを浴びることとなって危険である点に鑑み、設定中の給湯温度は最低限双方のリモコンに表示させ、給湯しようとする使用者に注意喚起するようにしたものである。給湯温度が高すぎる場合には、風呂リモコン側の優先スイッチを操作して給湯設定温度を低くすればよい。心電情報の表示は給湯温度情報の表示よりも大きく拡大表示されることで、入浴者は給湯温度情報を入手しつつ、的確に心電情報を把握することができる。
【０００９】
【発明の実施の形態】
以下、本発明の実施の形態について図面を参照しながら説明する。図１は本発明の一実施形態の概略を示すものである。図において１は熱源機であり、浴槽等に給湯等水を加熱し供給するための機器であり、具体的には給湯器付風呂釜、給湯器付暖房機、温水暖房機、給湯器等により構成されている。
【００１０】
浴室２には熱源機１を浴室から遠隔操作するための風呂リモコン３を設置し、また台所には熱源機１を遠隔操作するメインリモコン４を設置している。メインリモコン４は居間に設置してもよく、要するに浴室２以外の居住空間に設置してあればよい。
ここに、熱源機にはガスを燃料とするもののみならず電気、石油を熱源とするものでもよい。
【００１１】
そして、熱源機１の内部には熱交換器及びバーナが内蔵されており、制御のための各種センサを設けてある。浴室２に設置された浴槽５には、入浴者の心電信号を検出するための心拍検出電極６、７、８が設けられている。浴槽５のいわゆるエプロン内にはマイクロコンピュータ等からなる心拍数演算ユニット９が設けられ、前記した心拍検出電極６、７、８によって検出された心電信号に基づいて、１分間当りの心拍数を算出するようになっている。
【００１２】
心拍数演算ユニット９は、二芯線からなる接続コード１０により前記熱源機１に接続され、前記した風呂リモコン３及びメインリモコン４も同様に熱源機１の端子台を介して接続コード１１、１２により接続されている。そして前記熱源機１、風呂リモコン３及びメインリモコン４には、通信手段であるシリアルインターフェースを介して相互に通信可能なコントローラ１３、１４、１５がそれぞれ塔載されており、これらのコントローラ１３、１４、１５が相互に連携をとりながら、熱源機１の運転動作を統括的に制御している。これら、心拍検出電極６、７、８、心拍数演算ユニット９、熱源機１及びリモコン３、４とにより心電情報報知システムを構成してある。
【００１３】
前記風呂リモコン３及びメインリモコン４には、図２、図３に示すように、運転スイッチ１６ａ、１６ｂと、入浴者の心拍数等の心電情報や風呂の設定温度である浴槽湯温情報および給湯設定温度である給湯温度情報を表示する表示部１７ａ、１７ｂと、各種設定画面を表示させるための設定ボタン１８ａ、１８ｂと、各設定画面において、設定温度を入力したり、設定項目を選択したりするための入力選択ボタン１９ａ、１９ｂと、風呂リモコン３に設定されている給湯温度情報を優先させるための「優先」ボタン２０ａと、風呂リモコン３およびメインリモコン４の間で通話する「通話」ボタン２１ａ、２１ｂと、追い焚きを行なうための「追いだき」ボタン２２ａと、浴槽への自動注湯を行うための「ふろ自動」ボタン２３ａ、２３ｂとが設けられている。
【００１４】
一方、一対の心拍検出電極６、７は、浴槽５に浸かった入浴者の心臓を挟むように、浴槽５における一端側の左右両側壁に、残りの心拍検出電極（中性点）８は、浴槽５に浸かった入浴者の足元側（他端側）における浴槽５の側壁にそれぞれ設置されている。そして各心拍検出電極６、７、８は、浴槽５に貯留された湯水を介して心電信号が検出されるように、所定の高さに設置されている。
【００１５】
前記心拍数演算ユニット９は、通信手段であるシリアルインターフェースを介して、風呂リモコン３やメインリモコン４に通信可能に接続されており、この前記心拍数演算ユニット９によって算出された、１分間当りの心拍数が、所定の時間間隔（例えば２秒間）で風呂リモコン３やメインリモコン４のコントローラ１５、１４に送信されるようになっている。
【００１６】
この心拍数演算ユニット９は、図４に示すように、心拍検出電極６、７、８ がそれぞれ接続され、心拍検出電極６、７、８によって検出された心電信号から周波数の高いインパルスノイズを除去する第１フィルタ回路２４と、この第１フィルタ回路２４によってノイズが除去された心電信号を増幅する差動増幅回路２５と、この差動増幅回路２５によって増幅された心電信号から電源周波数以上のノイズを除去する第２フィルタ回路２６と、この第２フィルタ回路２６によってノイズが除去された心電信号を再度増幅する増幅回路２７と、この増幅回路２７によって増幅された心電信号が入力されるマイクロコンピュータ２８とを備えており、マイクロコンピュータ２８が入力された心電信号に基づいて１分間当りの心拍数を演算して算出し、この心拍数をシリアルインターフェース（Ｉ／Ｆ）２９を介して風呂リモコン３やメインリモコン４のコントローラ１５、１４に送信するようになっている。
【００１７】
次に、図７について表示部１７ａ、１７ｂへの表示方法、表示を行うための操作方法等について説明する。図において表示部１７ａ、１７ｂへ表示するための表示制御手段３０は風呂リモコン３のコントローラ１５に内蔵したマイクロコンピュータにソフトウエアとしてプログラムされている。浴槽湯温表示制御手段３１は、風呂リモコン３の設定ボタン１８ａおよび入力選択ボタン１９ａにより選択され設定された浴槽の湯温を表示部１７ａに浴槽湯温情報（Ａ）として表示するための手段である。給湯温度表示制御手段３２は、設定ボタン１８ａおよび入力選択ボタン１９ａにより選択され設定されたシャワー等の給湯温度を表示部１７ａ、１７ｂに給湯温度情報（Ｂ）、（Ｃ）として表示するための手段である。この給湯温度情報（Ｂ）、（Ｃ）の表示は、台所側のメインリモコンの設定ボタン１８ｂおよび入力選択ボタン１９ｂによっても設定することができ、制御表示される。
【００１８】
さらに 、表示制御手段３０には心拍表示モード選択手段３３がプログラムされており、この心拍表示モード選択手段３３は 、入浴者の心電情報の表示を心電信号に依拠させて自動的に開始あるいは停止させる自動表示モード、若しくは、入浴者の操作によって表示を開始あるいは停止させる手動表示モードのいずれか一方を選択制御するものである。この選択のための操作は、前述した設定ボタン１８ａおよび入力選択ボタン１９ａの操作により行われる。具体的には、風呂リモコン３の運転スイッチ１６ａがＯＦＦ状態（マイクロコンピュータには電源供給されている）で、 風呂リモコン３の設定ボタン１８ａを押すと、心拍表示モード選択手段３３を介して心拍情報の表示モード設定画面が表示部１７ａに表示され、入力選択ボタン１９ａをさらに選択して押すことによって、いずれか 一方の表示モード（「自動」または「手動」）が選択され、表示モードが設定されるようになっている。
【００１９】
なお、この心拍情報報知システムでは、浴室に設置した風呂リモコン３のみによって心電情報の表示モードの設定を行うことができるようになっており、風呂リモコン３によって心電情報の表示モードの設定を行っているときには、メインリモコン４の表示部１７ｂには、運転スイッチ１６ｂがＯＦＦ状態の時の画面が表示されている。
【００２０】
そして、心拍表示切替手段３４により、入浴者の適正な心電信号が安定した状態で心電数演算ユニット９を介して入力されるに至った時点で、画面表示が自動的に切り替わるようになっている。具体的には、図２に示されるような浴槽湯温情報（Ａ）の画面表示を一旦非表示とし、その後図５に示されるような心電情報（Ｄ）が表示される。３５は心拍数表示制御手段であり、検出された心電信号に基づいて心拍数演算ユニット９で算出された入浴者の１分間当りの心拍数に応じてこれに対応する数字を表示部１７ａ、１７ｂに表示するようになっている。この数字はメインリモコン４の表示部１７ｂにも心電情報 （Ｅ）として同時に表示される。
【００２１】
風呂リモコン３の表示部１７ａに表示される心電情報（Ｄ）の表示面積は、図５に示すように 、他の表示情報である給湯温度情報（Ｂ）の表示面積よりも大きく表示するようになっている。表示部はドットマトリックス表示を使用することを推奨する。表示面積の拡大、縮小をドット数の増減変更により対応自在にできるからである。また、心電情報の表示は数字に限られることなく、棒グラフ、折れ線グラフ等で表示してもよい。一方、メインリモコン４の表示部１７ｂに表示される心電情報（Ｅ）の表示面積は、図６に示すように 、他の表示である給湯温度情報（Ｃ）の表示面積よりも小さく表示するようになっている。なお、表示画面に余裕があれば、上記情報に加えて時刻の表示を行うようにしてもよい。
【００２２】
そして、表示制御手段３０のうち特殊表示制御手段３６は、心拍数演算ユニット９で演算された情報に基づいて表示部１７ａ、１７ｂの心電情報表示の近傍に特定の特殊表示をするものである。この表示は心拍数の表示に比べると付加的なものである。具体的には、算出された心拍数に応じて、ハートマークを大小交互に９段階の変化速度で点滅して表示するものである。また、心拍数演算ユニット９の演算結果に基づき矢印によって、例えば心拍数に変化がない場合には横向きの矢印、心拍数が低下している場合には右下がりの矢印、心拍数が上昇している場合には右上がりの矢印を表示するようにしたものである。心拍数演算ユニット９の演算部では、一定時間毎に心拍数を更新し、更新前後の数値からその変動状態を演算して出力するようにしてある。なお、矢印に代えて、変動状態を示すため「上昇」、「下降」等の文字で表示してもなんら差し支えない。
【００２３】
また、その他の特殊表示として、心拍数の変動傾向を示す矢印が表示されない状態、即ち、入浴者の適正な心電信号を検出できない状態が一定時間継続した場合には、その旨を入浴者に報知するため、ハートマークの表示を中止すると共に心拍数の表示に代えてバー表示を行うようにしてもよい。さらに、入浴者が心電情報の表示操作を行った直後は、湯面の揺れ等が発生し、適正な心電信号を安定した状態で検出することができない場合があるので、心拍数演算ユニット９の演算部による安定した演算が行えるまで、心拍数の表示に代えて表示部に「計測中」の文字を表示するようにしてもよい。
【００２４】
さらに、バー表示の状態が所定時間継続すると、図２のような、熱源機の設定温度情報が表示された初期画面に戻るようになっている。これら表示制御手段３０は本実施形態においては、風呂リモコン３本体内のマイクロコンピュータにプログラムしてあるが、この例に限られず熱源機１のコントローラに設けてもよく、あるいはメインリモコン４のコントローラ１４に設けてもよい。さらには、心拍数演算ユニット９の演算部であるマイクロコンピュータ内にプログラムすることも可能である。
【００２５】
次に、心電情報の表示モードが、自動表示モードに設定された場合と、手動表示モードに設定された場合とに場合分けして、心電情報報知システムの動作について、図８のフローチャートを参照して説明する。
【００２６】
まず、風呂リモコン３の設定ボタン１８ａを押すと、心拍表示モード選択手段３３を介して心拍情報の表示モード設定画面が表示部１７ａに表示され、入力選択ボタン１９ａによって、いずれか 一方の表示モード（「自動」または「手動」）が選択され、心拍表示モードの選択が設定される（ステップＳ１）。
【００２７】
心拍表示モードを自動表示モードに設定した場合には（ステップＳ２）、風呂リモコン３の運転スイッチ１６ａまたはメインリモコン４の運転スイッチ１６ｂがオン操作されていると（ステップＳ３）、図２に示すように、風呂リモコン３の表示部１７ａには風呂設定温度である浴槽湯温情報（Ａ）及び給湯設定温度である給湯温度情報（Ｂ）が表示され、同時にメインリモコン４の表示部１７ｂには、図３に示すように、給湯設定温度である給湯温度情報（ Ｃ）が表示される（ステップＳ４、Ｓ５）。
【００２８】
この状態で、風呂リモコン３またはメインリモコン４の「ふろ自動」ボタン２３ａ、２３ｂを押して、浴槽５に自動給湯を行い、浴槽５内に貯湯された湯を風呂設定温度に自動保温状態とする。ここに、自動保温状態とは、設定した風呂湯温度となるように熱源機１のバーナを点火あるいは消火させて自動的に一定の湯温を保持させる状態をいう。入浴が開始されると、浴槽５に浸かっている入浴者の心電信号が検出され始め、適正な心電信号が安定した状態で検出されるような状態となった時点で（ステップＳ６）、心拍表示切替手段３４により表示画面が自動的に切り替わる（ステップＳ７）。すなわち、浴槽湯温情報（Ａ）は一旦非表示となり、これに代わって図５のように心電情報（Ｄ）が表示される（ステップＳ８）。この心電情報（Ｄ）は、検出された心電信号に基づいて心拍数演算ユニット９で算出された入浴者の１分間当りの心拍数に応じて対応する数字を、心拍数表示制御手段３５を介して、表示部１７ａ、１７ｂに表示される。
【００２９】
風呂リモコン３の表示部１７ａに表示される心電情報（Ｄ）の表示面積は、図５に示すように 、他の表示である給湯温度情報（Ｂ）の表示面積よりも大きく表示される。これにより、入浴者は心電情報（Ｄ）を一目瞭然で目視把握することができる。給湯温度情報（Ｂ）および心電情報（Ｄ）が共に数値で表示されている場合には、入浴者が見間違うおそれがあるが、本案においてはこれを除去することができる。字体の大きさとして心電情報（Ｄ）の表示面積は、給湯温度情報（Ｂ）の表示面積よりも４倍程度が望ましい。これにより比較的照度の低い浴室においても、目視を確実にすることが可能となる。また、心電情報（Ｄ）は一定時間毎に更新され書き換えられていくことにより、さらに注意の喚起を行うことができる。
一方、この数字はメインリモコン４の表示部１７ｂにも心電情報 （Ｅ）として同時に表示される。メインリモコン４の表示部１７ｂに表示される心電情報（Ｅ）の表示面積は、図６に示すように 、他の表示である給湯温度情報（Ｃ）の表示面積よりも小さく表示するようになっている。例えば台所では給湯操作して使用する頻度の方が高いため、心電情報（Ｅ）よりも給湯温度情報（Ｃ）の方を優先して表示させるためである。
【００３０】
そして、表示制御手段３０にプログラムされている特殊表示制御手段３６は、心拍数演算ユニット９で演算された情報に基づいて表示部１７ａ、１７ｂに特定の特殊表示をするものである（ステップＳ９）。
具体的には、算出された心拍数に応じてハートマークを点滅して表示するものである。また、心拍数演算ユニット９の演算結果に基づき矢印によって、例えば心拍数に変化がない場合には横向きの矢印、心拍数が低下している場合には右下がりの矢印、心拍数が上昇している場合には右上がりの矢印を表示するようにしてある。心拍数演算ユニット９の演算部では、一定時間毎に心拍数を更新し、更新前後の数値からその変動状態を演算して特殊表示制御手段３６に出力するようにしてある。
【００３１】
また、その他の特殊表示として、心拍数の変動傾向を示す矢印が表示されない状態、即ち、入浴者の適正な心電信号を検出できない状態が一定時間継続した場合には、その旨を入浴者に報知するため、ハートマークの表示を中止すると共に心拍数の表示に代えてバー表示を行うようにしてもよい。さらに、入浴者が心電情報の表示操作を行った直後は、湯面の揺れ等が発生し、適正な心電信号を安定した状態で検出することができない場合があるので、心拍数演算ユニット９の演算部による安定した演算が行えるようになるまで、心拍数の表示に代えて表示部に「計測中」の文字等を表示するようにしてもよい。
【００３２】
そして、入浴者が浴槽５から上がると、心電信号は非検出となるため（ステップＳ１０）、心拍数演算ユニット９を介して心電表示切替手段３４により心電表示は自動的に切り替わり（ステップＳ１１）、図２のように風呂温度及び給湯温度の設定表示を行う初期画面に戻ることとなる（ステップＳ１２、ステップＳ１３）。
【００３３】
一方、図８において、心電情報の表示モードが手動表示モードに設定されている場合は（ステップＳ１４）、運転スイッチ１６ａ、１６ｂがオンされた状態で（ステップＳ１５）、図２、図３に示すように予め設定されている風呂温度表示および給湯温度表示がなされる（ステップＳ１６、ステップＳ１７）。浴槽に浸かった入浴者が、心拍数等の心電情報を表示させたい場合は、風呂リモコン３の設定ボタン１８ａを押すと、表示部１７ａに表示選択画面が表示され、続いて入力選択ボタン１９ａによって表示選択「する」を選択すると（ステップＳ１８）、心電情報の表示画面に切り替わる（ステップＳ１９）。心拍が検出されれば（ステップＳ２０）、前記同様に心拍数が表示され（ステップＳ２１）また特殊表示がなされる（ステップＳ２２）。なお、表示選択画面が表示されている状態で、設定ボタン１８ａを順次押していくことによって、「たっぷり／ぬるく」、「ふろ温度」、「ふろ湯量」等の設定画面に順次切り替えることができるようになっている。
【００３４】
手動表示モードにおいて、表示部１７ａ、１７ｂに心電情報が表示されている状態で、心電情報の表示を停止したい場合は、設定ボタン１８ａを押すことによって、選択画面を表示させ、入力選択ボタン１９ａによって表示選択「しない」を選択すると（ステップＳ２３）、図２、図３に示すような初期画面に切り替わることとなる。そして、運転スイッチ１６ａ、１６ｂのオフにより（ステップＳ２４）、風呂、給湯の運転は停止される。
【００３５】
なお、上述した実施形態は本発明の好適な実施形態を示すものであって、本発明はこれに限定されることなく、その範囲内で各種設計変更可能である。
例えば、本実施形態では自動表示モードと手動表示モードとを利用者に選択させるようにしているが、これに限定されるものではなく、自動表示モードまたは手動表示モードのいずれか一方に限定することも可能である。
【００３６】
【発明の効果】
以上のように本発明は、表示部を単一個で納めることができ、操作も行ないやすくなり、しかも美観上も優美となる。また、心電情報の表示面積を給湯温度情報の表示面積よりも大きくしたことで、入浴者は自身の心拍数を一目瞭然に瞬時に把握することができ、給湯温度情報との誤認を生じさせることが少なくなる利点を有するものである。
また本発明は、心電情報の表示を行なう場合には浴槽湯温情報の表示を一旦非表示とする切替手段を設けたことで、心電情報の表示の際には浴槽湯温情報の表示が消滅し、代わって心電情報の表示が行なわれ、表示部の画面が小さくとも効率的に心電情報の表示を行うことができ、心電情報の画面の表示を見やすくすることができる。
さらに本発明は、入浴者のみならず台所、居間等に居る家族の者にも、別途に専用の表示部を設けることなしに、入浴者の心電情報を報知することができる。
また本発明は、風呂リモコンに表示する心電情報の表示面積を風呂リモコンの給湯温度情報の表示面積よりも大きくし、かつ、メインリモコンに表示する心電情報の表示面積をメインリモコンの給湯温度情報の表示面積よりも小さくしたことにより、浴槽に入浴中の入浴者には心電情報を一目瞭然に表示することができ、また、台所、居間等に居る給湯使用者には使用頻度の高い給湯温度情報を明確に表示することができる。
さらに本発明は、風呂リモコン及びメインリモコンの双方で給湯温度の設定が行なえるようにし、しかも設定中の給湯温度は双方のリモコンに表示させることで、給湯しようとする使用者に注意喚起することができ、しかも心電情報の表示は給湯温度情報の表示よりも大きく拡大表示されることで、入浴者は的確に情報を把握することができる。
【図面の簡単な説明】
【図１】図１は本発明の心電情報報知システムの一実施形態を示す概略構成図である。
【図２】図２は心電情報報知システムにおける表示部として用いられる風呂リモコンを示す正面図である。
【図３】図３は心電情報報知システムにおける表示部として用いられるメインリモコンを示す正面図である。
【図４】図４は心電情報報知システムにおける心拍数演算ユニットを示すブロック図である。
【図５】図５は風呂リモコンに表示される心電情報の表示画面を示す図である。
【図６】図６はメインリモコンに表示される心電情報の表示画面を示す図である。
【図７】図７は本発明の一実施形態の制御ブロック図である。
【図８】図８は本発明の一実施形態を示すフローチャートである。
【符号の説明】
１     熱源機
２     浴室
３     風呂リモコン
４     メインリモコン
５     浴槽
９     心拍数演算ユニット
１６ａ、１６ｂ 運転スイッチ
１７ａ、１７ｂ 表示部
１８ａ、１８ｂ 設定ボタン
Ａ 浴槽湯温情報
Ｂ 給湯温度情報
Ｃ 給湯温度情報
Ｄ 心電情報
Ｅ 心電情報
【図１】
0004009121.tif 000002
【図２】
0004009121.tif 000003
【図３】
0004009121.tif 000004
【図４】
0004009121.tif 000005
【図５】
0004009121.tif 000006
【図６】
0004009121.tif 000007
【図７】
0004009121.tif 000008
【図８】
0004009121.tif 000009